(57)【特許請求の範囲】
【請求項１】
正逆回転可能なモータと、
複数の羽部を有して前記モータにより回転駆動される動翼部材と、
前記モータが取り付けられる取付部、通風孔が形成される枠部、および前記取付部と前記枠部とを連結する複数のスポーク部を有して前記通風孔内で複数の前記羽部が回転するケーシングと、
を有し、
複数の前記スポーク部は、前記モータに対して前記モータの正転時の排気側において前記取付部と前記枠部とを連結し、
前記枠部についての前記通風孔による内周面を正転時の排気側が正転時の吸気側より大径となるように多段形状に形成して複数の前記羽部の外周縁についての正転時の排気側の頂部と前記枠部の内周面との間隔を、前記内周面が多段形状でない場合と比べて広げている、
双方向軸流ファン装置。
【請求項２】
前記枠部についての前記通風孔による内周面は、正転時の吸気側の小径部、正転時の排気側の大径部、および前記小径部と大径部との間の中間テーパ部を有し、
前記中間テーパ部が、複数の前記羽部の外周縁についての正転時の排気側の前記頂部の外側に位置する、
請求項１記載の双方向軸流ファン装置。
【請求項３】
各前記羽部の正転時の排気側の縁は、回転する前記動翼部材の中心側より外側が正転時の吸気側へ寄るように湾曲している、
請求項２記載の双方向軸流ファン装置。
【請求項４】
前記枠部についての前記通風孔による内周面は、前記小径部についての正転時の吸気側に、前記枠部の正転時の吸気側の開口を広げる開口テーパ部を有する、
請求項２または３記載の双方向軸流ファン装置。
【発明の詳細な説明】
【技術分野】
【０００１】
本発明は、ケーシングの通風孔内で動翼部材の複数の羽部が正逆回転する双方向軸流ファン装置に関する。
【背景技術】
【０００２】
特許文献１は、軸流ファン装置を開示する。この軸流ファン装置は、ベンチュリケーシング内にモータを複数のスポークにより支えて配置し、モータに取り付けられた羽根車を回転させる。これにより、ベンチュリケーシング内に一方向の空気の流れを生成することができる。
【先行技術文献】
【特許文献】
【０００３】
【特許文献１】特開２０１３−１１３１２８号公報
【発明の概要】
【発明が解決しようとする課題】
【０００４】
ところで、軸流ファン装置において正逆回転可能なモータを採用してモータに取り付けられる動翼部材を双方向に回転させることが考えられる。モータが逆回転することにより動翼部材も逆回転し、正回転時とは逆方向の気流を生成できる。
【０００５】
しかしながら、単に動翼部材を回転駆動するモータを一方向に回転可能なものから正逆回転可能なものへ変更し、これにより双方向軸流ファン装置としただけでは、逆転時の送風特性として正転時のように良好なものを得ることは難しい。
たとえば双方向軸流ファン装置では、ベンチュリケーシング内にモータを配置するために複数のスポークが使用される。そして、この複数のスポークは、正転時の送風特性を悪化させないように、動翼部材についてのモータの正転時の排気側に配置される。このようなベンチュリケーシング内において動翼部材を逆転させた場合、動翼部材は複数のスポークの間から空気を吸うことになり、複数のスポークの周囲で乱れた気流を吸うことになる。その結果、逆転時の送風音が大きくなるなどの課題が生じる。
【０００６】
このように双方向軸流ファン装置では、逆転時の送風特性を改善することが求められている。
【課題を解決するための手段】
【０００７】
本発明の双方向軸流ファン装置は、正逆回転可能なモータと、複数の羽部を有して前記モータにより回転駆動される動翼部材と、前記モータが取り付けられる取付部、通風孔が形成される枠部、および前記取付部と前記枠部とを連結する複数のスポーク部を有して前記通風孔内で複数の前記羽部が回転するケーシングと、を有し、複数の前記スポーク部は、前記モータに対して前記モータの正転時の排気側において前記取付部と前記枠部とを連結し、前記枠部についての前記通風孔による内周面を正転時の排気側が正転時の吸気側より大径となるように多段形状に形成して複数の前記羽部の外周縁についての正転時の排気側の頂部と前記枠部の内周面との間隔を、前記内周面が多段形状でない場合と比べて広げている。
【発明の効果】
【０００８】
本発明では、ケーシングの枠部の内周面を、正転時の排気側が正転時の吸気側より大径となるように多段形状に形成し、これにより複数の羽部の外周縁についての正転時の排気側の頂部と枠部の内周面との間隔を広げている。よって、仮にたとえば枠部の内周面がフラットで多段形状でない場合と比べて複数の羽部の該頂部と枠部の内周面との間隔を広げて、逆回転する羽部の外周縁についての吸気側の頂部の付近における空気の圧力変動を抑えることができる。その結果、逆転時の送風音を抑えることができる。
しかも、枠部の内周面を多段形状に形成し、これにより正転時の排気側を正転時の吸気側より大径化している。よって、仮にたとえば枠部の内周面を全体的に大径化した場合のように正転時の静圧が低下することはない。
また、枠部の内周面についての正転時の排気側、すなわち逆転時の吸気側を大径化しているので、逆転時の吸気側に複数のスポーク部が設けられているにもかかわらず、逆転時の静圧を改善できる。逆転時の静圧特性を、正転時の静圧特性に近づけることができる。
このように、本発明では、逆転時の静圧特性を正転時の静圧特性に近づけるように改善しつつ、これら正転時の静圧特性および逆転時の静圧特性に対して大きな影響が生じないように逆転時の送風音を改善することができる。
【図面の簡単な説明】
【０００９】
【図１】図１は、本発明の実施形態に係る双方向軸流ファン装置の斜視図である。
【図２】図２は、図１の実施形態の双方向軸流ファン装置の部分断面による説明図である。
【図３】図３は、比較例の双方向軸流ファン装置の斜視図である。
【図４】図４は、図３の比較例の双方向軸流ファン装置の部分断面による説明図である。
【図５】図５は、実施形態の逆転時の送風特性と比較例の逆転時の送風特性との一例の比較表である。
【図６】図６は、実施形態の逆転時の風量静圧特性と比較例の逆転時の風量静圧特性との一例の特性図である。
【発明を実施するための形態】
【００１０】
以下、本発明の実施形態を図面に基づいて説明する。
【００１１】
図１は、本発明の実施形態に係る双方向軸流ファン装置１の斜視図である。
図２は、図１の実施形態の双方向軸流ファン装置１の部分断面による説明図である。図２には、双方向軸流ファン装置１の上半分の断面が図示されている。
図１および図２に示す双方向軸流ファン装置１は、ベンチュリケーシング１０の通風孔１２内で動翼部材３０をモータ２０により正逆に回転駆動することにより、通風孔１２の一方側から他方側へ送風し且つ他方側から一方側へ送風するものである。このようにベンチュリケーシング１０の通風孔１２の一方側は、正転時には吸気側となり、反転時には排気側となる。また、ベンチュリケーシング１０の通風孔１２の他方側は、正転時には排気側となり、反転時には吸気側となる。
【００１２】
ベンチュリケーシング１０は、たとえば合成樹脂から形成される。ベンチュリケーシング１０は、回転する動翼部材３０の外周を囲む枠部１１、枠部１１によって形成される通風孔１２、モータ２０の取付部１５、および、枠部１１と取付部１５とを連結する複数のスポーク部１６、を有する。
枠部１１は、略筒状または略円環形状に形成される。枠部１１を略円環形状とすることにより、枠部１１を同心に貫通する通風孔１２が形成される。略円環形状の枠部１１には、複数の固定孔１３が形成され、枠部１１の外周には一対のフランジ部１４が立設される。固定孔１３は、略円環形状の枠部１１の一方側の面から他方側の面にわたって貫通する。この固定孔１３にたとえばネジを挿入することより、ベンチュリケーシング１０をたとえば他の筐体等に取り付けることができる。
取付部１５は、たとえば円板形状に形成される。取付部１５は、たとえばモータ２０の外周と同サイズに形成されてよい。
スポーク部１６は、通風孔１２内の空気の流れを妨げ難くするために細い棒状に形成される。本実施形態のスポーク部１６は、湾曲して形成されている。
そして、複数のスポーク部１６および取付部１５は、正転時の排気側である他方側において取付部１５と枠部１１とを連結する。また、取付部１５は、通風孔１２の中心において通風孔１２と同軸に配置される。
【００１３】
モータ２０は、正逆回転可能である。モータ２０は、ロータヨーク２１、回転軸２２、ロータマグネット２４、ステータコア２５、ステータコイル２６、を有するアウタロータ型のものである。ロータヨーク２１は略カップ形状を有し、回転軸２２は略カップ形状のロータヨーク２１の内側中心に立設される。回転軸２２は取付部１５に対してベアリング部材２３を介して回転可能に取り付けられる。略カップ形状のロータヨーク２１と取付部１５とにより囲われた空間内には、ロータマグネット２４とステータコア２５とが隙間を開けて配置される。ロータマグネット２４は略カップ形状のロータヨーク２１の内周面に設けられ、ステータコア２５は取付部１５に取り付けられる。ステータコイル２６はステータコア２５に巻き付けられる。
ステータコイル２６に通電することにより、ステータコア２５に発生する磁界とロータマグネット２４の磁界とが反発および吸引し、ロータマグネット２４、ロータヨーク２１および回転軸２２が回転する。ステータコイル２６に流す電流の方向を切り替えることにより回転方向が逆転する。これにより、モータ２０は正逆回転する。
【００１４】
動翼部材３０は、たとえば合成樹脂から形成される。動翼部材３０は、ロータヨーク２１が嵌め込まれる略カップ形状のカップ部３１と、複数の羽部３２と、を有する。複数の羽部３２は、略カップ形状のカップ部３１の外周面から外向きに突出するように配列される。各羽部３２は回転方向に対して傾斜している。このため、動翼部材３０が回転することにより気流を生成できる。回転方向が逆転することにより、気流の向きも逆転する。
【００１５】
ところで、このような双方向軸流ファン装置１では、モータ２０により動翼部材３０を回転駆動して双方向の気流を生成できる。
たとえばモータ２０が正回転することにより、ベンチュリケーシング１０の通風孔１２の一方側から他方側へ向かう気流を生成できる。この場合、回転する動翼部材３０の吸気側には、複数のスポーク部１６といった吸気を妨げるものがないので、乱れがない空気流を生成し、それをベンチュリケーシング１０の通風孔１２の他方側へ排気することができる。
これに対して、モータ２０が逆回転する場合、回転する動翼部材３０の吸気側には、複数のスポーク部１６といった吸気を妨げるものが存在する。このため、複数のスポーク部１６により乱れた気流を吸気し、この乱れた気流をベンチュリケーシング１０の通風孔１２の一方側へ排気することになる。その結果、逆転時の送風音が大きくなり、逆転時の静圧特性も低下する。
このように正逆回転可能な双方向軸流ファン装置１では、逆転時の静圧特性や送風音といった送風特性を改善することが求められている。
以下、本発明の実施形態について説明する。
【００１６】
図２に示すように、ベンチュリケーシング１０の枠部１１についての通風孔１２による内周面は、一方側である正転時の吸気側から順番に、開口テーパ部４１、小径部４２、中間テーパ部４３、大径部４４を有する。
【００１７】
小径部４２は、円環形状の内周面を有する。小径部４２の断面では、内周面は直線状になる。小径部４２の直線状の内周面は、動翼部材３０の羽部３２の直線状の外縁辺と隙間を開けて略平行に対向する。
【００１８】
大径部４４は、小径部４２より大径の円環形状の内周面を有する。大径部４４の断面では、内周面は直線状になる。大径部４４の直線状の内周面は、小径部４２よりも隙間を開けて、動翼部材３０の羽部３２の直線状の外縁辺と略平行に対向する。
そして、小径部４２と大径部４４とは、同軸に形成される。これにより、枠部１１の内周面には、二段の多段形状に形成される。
【００１９】
中間テーパ部４３は、大径部４４側から小径部４２側へ向かって半径が小さくなるように直線状に傾斜した内周面を有する。中間テーパ部４３の内周面により、小径部４２の内面と大径部４４の内面とは連続的な面に形成される。
そして、このように小径部４２と大径部４４との間に中間テーパ部４３を設けることにより、仮にたとえば小径部４２と大径部４４とを直接に連結させた場合のように、回転軸２２の延在方向に対して垂直に立つ壁面や、内径が急激に変化する部分が形成されなくなる。
【００２０】
開口テーパ部４１は、小径部４２からベンチュリケーシング１０の枠部１１の一方側に向かって半径が大きくなるように曲線状に傾斜した内周面を有する。
開口テーパ部４１による円弧状の内面と小径部４２の内面とは連続的な面となる。
そして、開口テーパ部４１により枠部１１の一方側に形成される開口と、大径部４４により枠部１１の他方側に形成される開口とを略同サイズに揃えることができる。
【００２１】
また、図２に示すように、枠部１１の内周面は、正転時の排気側である他方側の部分が正転時の吸気側である一方側の部分より大径となるように多段形状に形成される。また、中間テーパ部４３は、羽部３２の外周縁３２ａについての正転時の排気側の頂部３２ｂの外側に位置する。その結果、羽部３２の外周縁３２ａについての正転時の排気側の頂部３２ｂと枠部１１の内周面との間隔が広がっている。
【００２２】
また、羽部３２についての他方側の縁３２ｃは、縁３２ｃの外周端である頂部３２ｂが一方側へ寄るように湾曲している。これにより、羽部３２の正転時の排気側の縁３２ｃは、回転する動翼部材３０の中心側より外側が正転時の吸気側へ寄るように湾曲する。その結果、図２に示すように、該縁３２ｃの延長線は、中間テーパ部４３の傾斜した内周面に対して略垂直な角度で交叉する。これにより、羽部３２の外周縁３２ａの近辺での気流は、回転軸２２に対して傾いた気流となる。
【００２３】
このようなベンチュリケーシング１０の枠部１１の内周面の形状と羽部３２の形状とを採用した場合、正転時には、ベンチュリケーシング１０の一方側の開口から枠部１１の内周面と羽部３２の外周縁３２ａとの間隔が最少であって且つ最も他方側となる部分（以下、単に最少間隔部分という。）Ｇｍｉｎの付近までにおいて、負圧により空気が引き込まれる。そして、負圧により引き込まれた空気は、該最少間隔部分Ｇｍｉｎの付近からベンチュリケーシング１０の他方側の開口へ送り出される。
このため、複数のスポーク部１６が存在しない一方側の開口から吸気される空気は、開口テーパ部４１により広がった開口から負圧により効率よく集められ、小径部４２による均一サイズの内周面の内側を滑らかに通過し、その後、最少間隔部分Ｇｍｉｎを通過して、大径部４４により広がったサイズの内周面において大きな通気抵抗を受けることなく他方側の開口から広がって吹き出される。その結果、正転時の気流は、他方側の開口の手前に設けられた複数のスポーク部１６により大きく乱されることなく、高い静圧で送風されることになる。
【００２４】
また、逆転時には、ベンチュリケーシング１０の他方側の開口から最少間隔部分Ｇｍｉｎの付近までにおいて、負圧により空気が引き込まれる。そして、負圧により引き込まれた空気は、該最少間隔部分Ｇｍｉｎの付近からベンチュリケーシング１０の一方側の開口へ送り出される。
このため、他方側の開口から吸気される空気は、複数のスポーク部１６が存在しているにもかかわらず大径部４４により開口面積が広がった開口から負圧により大きく乱されることなく効率よく集められる。その後、最少間隔部分Ｇｍｉｎを通過して、小径部４２による均一サイズの内周面の内側を滑らかに通過し、開口テーパ部４１により広がった開口から広がって吹き出される。その結果、逆転時の気流は、複数のスポーク部１６が吸気側に配置されているにもかかわらずそれにより大きく乱されることなく、良好な静圧で送風されることになる。
【００２５】
次に、本実施形態の双方向軸流ファン装置１の送風特性を比較例と比較して説明する。
図３は、比較例の双方向軸流ファン装置１の斜視図である。
図４は、図３の比較例の双方向軸流ファン装置１の部分断面による説明図である。図４には、双方向軸流ファン装置１の上半分の断面が図示されている。
図３および図４に示す比較例の双方向軸流ファン装置１は、本実施形態の双方向軸流ファン装置１と比べて、ベンチュリケーシング１０の枠部１１の内周面の形状が異なる。
なお、実施形態との対比がしやすいように、比較例についての実施形態に対応する部分には、同一の名称および符号を用いる。
【００２６】
具体的には、比較例の枠部１１の内周面は、一方側である正転時の吸気側から順番に、開口テーパ部４１、小径部４２、大テーパ部５１を有する。枠部１１の内周面は多段形状とされていない。
大テーパ部５１は、他方側の開口から小径部４２側へ向かって半径が小さくなるように直線状に傾斜した内周面を有する。大テーパ部５１の傾斜角度は、中間テーパ部４３の傾斜角度より小さい。また、大テーパ部５１は、羽部３２の外周縁３２ａについての正転時の排気側の頂部３２ｂの外側に位置する。その結果、羽部３２の外周縁３２ａについての正転時の排気側の頂部３２ｂと枠部１１の内周面との間隔は、実施形態のものより狭い。
また、羽部３２についての他方側の縁３２ｃは、縁３２ｃの外周端である頂部３２ｂが一方側へ寄るように湾曲している。これにより、本実施形態と同様に、該縁３２ｃの延長線は、大テーパ部５１の傾斜した内周面に対して略垂直な角度で交叉する。
このように図３および図４に示す比較例の双方向軸流ファン装置１では、羽部３２の外周縁３２ａについての正転時の排気側の頂部３２ｂと枠部１１の内周面との間隔を広げ、羽部３２についての他方側の縁３２ｃを大テーパ部５１の内周面に対して略垂直に立てている。よって、この比較例の双方向軸流ファン装置１であっても、仮にたとえば枠部１１の内周面を小径部４２と同径の直線状の内周面のみで形成した場合と比べて、逆転時の送風特性が改善されている。
【００２７】
図５は、実施形態の逆転時の送風特性と比較例の逆転時の送風特性との一例の比較表である。
図５には、逆転時の最大風量、逆転時の最大静圧、逆転の回転速度、逆転時の音圧レベル、逆転時の消費電力が比較して図示されている。
そして、同図に示すように、本実施形態の逆転時の最大風量および最大静圧は、比較例のものと略同じ値である。
また、同一の回転速度とした場合の逆転時の音圧レベルは、比較例のものと比べて３ｄＢも低下している。しかも、同一の回転速度での逆転時の消費電力は比較例のものと略同じ値である。
【００２８】
図６は、実施形態の逆転時の風量静圧特性と比較例の逆転時の風量静圧特性との一例の特性図である。
図６の横軸は逆転時の風量であり、縦軸は逆転時の静圧である。
そして、同図に示すように、実施形態の逆転時の風量静圧特性は、比較例の逆転時の風量静圧特性と略同じである。
【００２９】
このように実施形態では、たとえば枠部１１の内周面を小径部４２と同径の直線状の内周面のみで形成した場合と比べて逆転時の送風特性の改善を期待することができる比較例と同等の送風特性を得ながら、逆転時の音圧レベルについては格段に低下させることができる。
【００３０】
以上のように、本実施形態では、枠部１１の内周面を、正転時の排気側である他端側が正転時の吸気側である一端側より大径となるように多段形状に形成し、これにより複数の羽部３２の外周縁３２ａについての正転時の排気側の頂部３２ｂと枠部１１の内周面との間隔を広げている。よって、仮にたとえば枠部１１の内周面が多段形状でない均一の円環形状である場合と比べて複数の羽部３２の該頂部３２ｂと枠部１１の内周面との間隔を広げて、逆回転する羽部３２の外周縁３２ａについての頂部３２ｂの付近における空気の圧力変動を抑えることができる。また、大テーパ部５１を形成した場合と比べても、逆回転する羽部３２の外周縁３２ａについての頂部３２ｂの付近における空気の圧力変動を抑えることができる。その結果、逆転時の送風音を抑えることができる。
しかも、枠部１１の内周面を多段形状に形成し、これにより正転時の排気側を正転時の吸気側より大径化している。よって、仮にたとえば枠部１１の内周面を全体的に大径化した場合のように正転時の静圧が低下してしまうことはない。
また、枠部１１の内周面についての正転時の排気側、すなわち逆転時の吸気側を大径化しているので、逆転時の吸気側に複数のスポーク部１６が設けられているにもかかわらず、逆転時の静圧を改善できる。逆転時の静圧特性を、正転時の静圧特性に近づけることができる。
このように、本実施形態では、逆転時の静圧特性を正転時の静圧特性に近づけるように改善しつつ、これら正転時の静圧特性および逆転時の静圧特性に対して大きな影響が生じないように逆転時の送風音を改善することができる。
【００３１】
また、本実施形態において枠部１１の内周面には、小径部４２と大径部４４との間に中間テーパ部４３が設けられているので、仮にたとえば小径部４２と大径部４４とを直接に連続した場合のように空気の流れに対して立った壁面が形成されていない。そして、空気の流れに対して立った壁面がある場合にはこの壁面に対して空気が当たって渦を発生して滞留し易くなるが、本実施形態ではそのような事態が発生し難い。その結果、本実施形態では、空気の流れをよりスムースにでき、逆転時の静圧特性を改善し、逆転時の送風音を更に抑えることができる。
【００３２】
また、本実施形態では、各羽部３２についての正転時の排気側である他方側の縁３２ｃが、回転する動翼部材３０の中心側より外側が正転時の吸気側へ寄るように湾曲している。よって、羽部３２の外周縁３２ａの付近において羽部３２に引き込まれる空気の流れは、通風孔１２および回転軸２２に沿った方向に対して斜めに傾き、中間テーパ部４３による内面に沿った方向になる。その結果、本実施形態では、空気の流れをよりスムースにでき、逆転時の外周縁３２ａの付近での圧力変動を更に抑えて、逆転時の送風音を更に抑えることができる。
【００３３】
また、本実施形態では、枠部１１についての通風孔１２による内周面は、小径部４２についての正転時の吸気側に、枠部１１の正転時の吸気側の開口を広げる開口テーパ部４１を有する。よって、通風孔１２により枠部１１に形成される正転時の吸気側の開口のサイズを、大径部４４による正転時の排気側の開口のサイズに近づけることができる。その結果、双方向軸流ファン装置１を枠部１１の正転時の吸気側においてたとえば装置筐体に取り付ける場合での該装置筐体に形成する通気孔のサイズと、枠部１１の正転時の排気側において取り付ける場合での通気孔のサイズとを略同じサイズに揃えることができる。双方向軸流ファン装置１を取り付ける側に応じて通気孔のサイズを変更する必要がなくなる。
【００３４】
そして、このような良好な送風特性を有する正逆回転可能な双方向軸流ファン装置１を、たとえばパーソナルコンピュータ、電源装置などの電子機器において冷却ファンとして用いたり、クリーンルームの換気扇として用いたりすることにより、正逆の双方向において高い送風特性を得ながら高い静音特性を得ることができる。
【００３５】
以上の実施形態は、本発明の好適な実施形態の例であるが、本発明はこれに限定されるものではなく、発明の要旨を逸脱しない範囲において種々の変形または変更が可能である。
【００３６】
たとえば上記実施形態では、大径部４４および小径部４２により、枠部１１の内周面を二段の多段形状に形成している。この他にもたとえば、枠部１１の内周面は，三段以上の多段形状に形成してよい。この場合でも、枠部１１の内周面を正転時の排気側が正転時の吸気側より大径となるように多段形状とし、且つ、複数の羽部３２の外周縁３２ａについての正転時の排気側の頂部３２ｂと枠部１１の内周面との間隔を広げることにより、本実施形態と同様の効果を期待できる。
【００３７】
上記実施形態では、大径部４４と小径部４２との間に中間テーパ部４３を設けている。
この他にもたとえば、大径部４４と小径部４２とを直接的に連結してもよい。この場合でも、枠部１１の内周面は多段形状となり、複数の羽部３２の外周縁３２ａについての正転時の排気側の頂部３２ｂと枠部１１の内周面との間隔を広げることにより、静音特性を含む逆転時の送風特性を改善することを期待できる。
【００３８】
上記実施形態では、羽部３２の正転時の排気側である他方側の縁３２ｃは、回転する動翼部材３０の中心側より外側が正転時の吸気側へ寄るように湾曲している。
この他にもたとえば、羽部３２の正転時の排気側である他方側の縁３２ｃは、回転軸２２に対して略垂直に立ててもよい。この場合でも、枠部１１の内周面を正転時の排気側が正転時の吸気側より大径となるように多段形状とし、且つ、複数の羽部３２の外周縁３２ａについての正転時の排気側の頂部３２ｂと枠部１１の内周面との間隔を大径部４４により広げることにより、静音特性を含む逆転時の送風特性を改善することを期待できる。
【００３９】
上記実施形態では、小径部４２より一方側の開口よりの部分に開口テーパ部４１を設け、これにより、一方側の開口のサイズを他方側の開口のサイズに略揃えている。
この他にもたとえば、開口テーパ部４１を無くして小径部４２をそのまま一方側の開口としてもよい。この場合でも、枠部１１の内周面を正転時の排気側が正転時の吸気側より大径となるように多段形状とし、且つ、複数の羽部３２の外周縁３２ａについての正転時の排気側の頂部３２ｂと枠部１１の内周面との間隔を大径部４４により広げることにより、静音特性を含む逆転時の送風特性を改善することを期待できる。
【００４０】
上記実施形態では、モータ２０は、ステータコア２５の外側で、回転軸２２に固定されたロータヨーク２１が回転するアウタロータ型のものである。
この他にもたとえば、モータ２０は、円筒形状のステータコア内で回転軸２２を有するロータが回転するインナロータ型のものでもよい。また、回転するロータは、永久磁石によるロータマグネット２４ではなく、ロータコアにロータコイルが巻き付けられていてもよい。
【符号の説明】
【００４１】
１…双方向軸流ファン装置
１０…ベンチュリケーシング（ケーシング）
１１…枠部
１２…通風孔
１３…固定孔
１４…フランジ部
１５…取付部
１６…スポーク部
２０…モータ
２１…ロータヨーク
２２…回転軸
２３…ベアリング部材
２４…ロータマグネット
２５…ステータコア
２６…ステータコイル
３０…動翼部材
３１…カップ部
３２…羽部
３２ａ…外周縁
３２ｂ…頂部
３２ｃ…縁
４１…開口テーパ部
４２…小径部
４３…中間テーパ部
４４…大径部
５１…大テーパ部
【要約】
【課題】双方向軸流ファン装置の逆転時の送風音といった送風特性を改善する。
【解決手段】双方向軸流ファン装置１は、正逆回転可能なモータ２０と、複数の羽部３２を有してモータ２０により回転駆動される動翼部材３０と、モータ２０が取り付けられる取付部１５、通風孔１２が形成される枠部１１、および取付部１５と枠部１１とを連結する複数のスポーク部１６を有して通風孔１２内で複数の羽部３２が回転するケーシングと、を有する。複数のスポーク部１６は、モータ２０の正転時の排気側において取付部１５と枠部１１とを連結する。枠部１１についての通風孔１２による内周面は、正転時の排気側が正転時の吸気側より大径となるように多段形状に形成される。複数の羽部３２の外周縁３２ａについての正転時の排気側の頂部３２ｂと枠部１１の内周面との間隔は広がっている。
【選択図】  図２【図１】
0005832052.tif 000002
【図２】
0005832052.tif 000003
【図３】
0005832052.tif 000004
【図４】
0005832052.tif 000005
【図５】
0005832052.tif 000006
【図６】
0005832052.tif 000007